(57)【要約】      （修正有）【課題】結婚披露宴や各種のパーティーにおいて使用され、巻装燃焼部材が華やかに燃えた後、確実にキャンドル本体の芯材に点火することができるキャンドルを提供する。【解決手段】先端部１０ｂに突出して配置された芯材１２を有する棒状のキャンドル本体１０と、キャンドル本体１０の側面部１０ａに長さ方向に沿って巻装された巻装燃焼部材２０と、キャンドル本体１０の先端部１０ａに設けられた先端燃焼部材３０とを備え、巻装燃焼部材２０が着火されて燃焼することにより先端燃焼部材３０に燃え移り、その後、芯材１２に着火して点火されるように構成されたキャンドル１であって、巻装燃焼部材２０と先端燃焼部材３０との間には導火部材４０が設けられている。【選択図】図３
0003177070.tif 000002
【実用新案登録請求の範囲】
【請求項１】
先端部に突出して配置された芯材を有する棒状のキャンドル本体と、上記キャンドル本体の側面部に長さ方向に沿って巻装された巻装燃焼部材と、上記キャンドル本体の先端部に設けられた先端燃焼部材とを備え、上記巻装燃焼部材が着火されて燃焼することにより上記先端燃焼部材に燃え移り、その後、上記芯材に着火して点火されるように構成されたキャンドルであって、
上記巻装燃焼部材と上記先端燃焼部材との間には導火部材が設けられていることを特徴とするキャンドル。
【請求項２】
上記導火部材は、紐状に形成されていることを特徴とする請求項１記載のキャンドル。
【請求項３】
上記導火部材、上記巻装燃焼部材及び上記先端燃焼部材は、ニトロセルロースを含むことを特徴とする請求項１記載のキャンドル。
【請求項４】
上記先端燃焼部材は、上記キャンドル本体の先端部から上記芯材に沿って上記長さ方向に延びた棒状の着火燃焼部と、上記着火燃焼部の先端に設けられた装飾燃焼部とを有することを特徴とする請求項１記載のキャンドル。
【請求項５】
上記巻装燃焼部材は、帯状に形成されていることを特徴とする請求項１記載のキャンドル。
【請求項６】
上記巻装燃焼部材は、各種の装飾的構成部材を連設して形成されていることを特徴とする請求項１記載のキャンドル。
【請求項７】
上記装飾的構成部材は、星形、多角形、花形又はハート形のいずれかであることを特徴とする請求項６記載のキャンドル。
【考案の詳細な説明】
【技術分野】
【０００１】
本考案は、キャンドルの改良に関する。
【背景技術】
【０００２】
従来より、結婚披露宴や各種のパーティーにおいては、華やかな雰囲気を演出するために、点火時に大きな炎が形成された後、キャンドル本体の芯材に点火されるキャンドルが使用されている。
【０００３】
このような従来のキャンドルは、先端部に突出して配置された芯材を有する棒状のキャンドル本体と、上記キャンドル本体の側面部に長さ方向に沿って巻装された帯状の巻装燃焼部材と、上記先端部に設けられた先端燃焼部材とを備え、上記帯状の巻装燃焼部材が着火されて燃焼することにより先端燃焼部材に燃え移り、その後、芯材に着火して点火されるように構成されている。
【０００４】
しかしながら、このような従来のキャンドルにあっては、上記帯状の巻装燃焼部材と先端燃焼部材とが互いが離間していることから、巻装燃焼部材が燃焼し、炎が形成された場合であっても、その炎が先端燃焼部材に燃え移らない場合があり、結果的に、キャンドル本体の芯材に点火されない場合がある、という不具合が存していた。
【考案の開示】
【考案が解決しようとする課題】
【０００５】
本考案はこのような従来からの不具合を解決するためのものであって、その課題は、結婚披露宴や各種のパーティーにおいて使用され、巻装燃焼部材が華やかに燃えた後、確実にキャンドル本体の芯材に点火することができるキャンドルを提供することにある。
【課題を解決するための手段】
【０００６】
上記課題達成のため、請求項１記載の考案に係るキャンドルにあっては、先端部に突出して配置された芯材を有する棒状のキャンドル本体と、上記キャンドル本体の側面部に長さ方向に沿って巻装された巻装燃焼部材と、上記キャンドル本体の先端部に設けられた先端燃焼部材とを備え、上記巻装燃焼部材が着火されて燃焼することにより上記先端燃焼部材に燃え移り、その後、上記芯材に着火して点火されるように構成されたキャンドルであって、上記巻装燃焼部材と上記先端燃焼部材との間には導火部材が設けられていることを特徴とする。
【０００７】
請求項１記載の考案にあっては、巻装燃焼部材と先端燃焼部材との間に設けられた導火部材に巻装燃焼部材の炎が燃え移り、その後、導火部材を伝播した炎が先端燃焼部材に燃え移る。従って、巻装燃焼部材の炎が導火部材を介して先端燃焼部材に確実に燃え移るので、結果的に、キャンドル本体を確実に点火することができる。
【０００８】
請求項２記載の考案に係るキャンドルにあっては、上記導火部材は、紐状に形成されていることを特徴とする。
請求項２記載の考案にあっては、導火部材が紐状であるので、燃焼し易くなると共に、導火部材が目立ち難い。
【０００９】
請求項３記載の考案に係るキャンドルにあっては、上記導火部材、上記巻装燃焼部材及び上記先端燃焼部材は、ニトロセルロースを含むことを特徴とする。
請求項３記載の考案にあっては、導火部材、巻装燃焼部材及び先端燃焼部材がニトロセルロースを含んでいるので、ニトロセルロースの自己反応性の燃焼が得られる。
【００１０】
請求項４記載の考案に係るキャンドルにあっては、上記先端燃焼部材は、上記キャンドル本体の先端部から上記芯材に沿って上記長さ方向に延びた棒状の着火燃焼部と、上記着火燃焼部の先端に設けられた装飾燃焼部とを有することを特徴とする。
請求項４記載の考案にあっては、芯材に沿って長さ方向に着火燃焼部が延びているので、着火燃焼部が着火されると炎が芯材に沿って伝播する。これにより、着火燃焼部の炎が芯材に沿って伝播する間に芯材に燃え移る。
【００１１】
請求項５記載の考案に係るキャンドルにあっては、上記巻装燃焼部材は、帯状に形成されていることを特徴とする。
請求項５記載の考案にあっては、巻装燃焼部材が帯状に形成されているので、巻装燃焼部材をキャンドル本体の側面部に巻装し易くなる。
【００１２】
請求項６記載の考案に係るキャンドルにあっては、上記巻装燃焼部材は、各種の装飾的構成部材を連設して形成されていることを特徴とする。
請求項６記載の考案にあっては、各種の装飾的構成部材を連設して巻装燃焼部材が形成されているので、炎の火勢の強弱をつけることが可能となる。
【００１３】
請求項７記載の考案に係るキャンドルにあっては、上記装飾的構成部材は、星形、多角形又はハート形のいずれかであることを特徴とする。
請求項７記載の考案にあっては、装飾的構成部材が、星形、多角形又はハート形のいずれかであるので、星形、多角形、花形又はハート形のいずれかの装飾的構成部材が連設して巻装燃焼部材が構成される。
【考案の効果】
【００１４】
請求項１に記載された考案に係るキャンドルにあっては、巻装燃焼部材と先端燃焼部材との間に設けられた導火部材に巻装燃焼部材の炎が燃え移り、その後、導火部材を伝播した炎が先端燃焼部材に燃え移る。従って、巻装燃焼部材の炎が導火部材を介して先端燃焼部材に確実に燃え移るので、結果的に、キャンドル本体を確実に点火することができる。
その結果、巻装燃焼部材が華やかに燃えた後、確実にキャンドル本体の芯材に点火することができるキャンドルを提供することができる。
【００１５】
請求項２に記載された考案に係るキャンドルにあっては、導火部材が紐状であるので、燃焼し易くなると共に、導火部材が目立ち難い。
その結果、キャンドルの外観意匠を損なわせずに、より確実に巻装燃焼部材の炎を先端燃焼部材に伝播させることができる。
【００１６】
請求項３に記載された考案に係るキャンドルにあっては、導火部材、巻装燃焼部材及び先端燃焼部材がニトロセルロースを含んでいるので、ニトロセルロースの自己反応性の燃焼が得られる。
その結果、導火部材、巻装燃焼部材及び先端燃焼部材をより確実に燃焼させることができ、意図する演出効果を確実に得ることができる。
【００１７】
請求項４に記載された考案に係るキャンドルにあっては、芯材に沿って長さ方向に着火燃焼部が延びているので、着火燃焼部が着火されると炎が芯材に沿って伝播する。これにより、着火燃焼部の炎が芯材に沿って伝播する間に芯材に燃え移る。
その結果、より確実にキャンドル本体の芯材に点火することができる。
さらに、着火燃焼部の先端に装飾燃焼部が設けられているので、装飾燃焼部の燃焼によって優れた演出効果を得ることができる。
【００１８】
請求項５に記載された考案に係るキャンドルにあっては、巻装燃焼部材をキャンドル本体の側面部に巻装し易くなり、キャンドルの製造性を向上させることができる。
その結果、良好な製造性のキャンドルを提供することができる。
【００１９】
請求項６に記載された考案に係るキャンドルにあっては、炎の火勢の強弱をつけることが可能となるので、極めて高い演出効果を得ることができる。
【００２０】
請求項７に記載された考案に係るキャンドルにあっては、星形、多角形、花形又はハート形のいずれかの装飾的構成部材が連設して巻装燃焼部材が構成されるので、優れた意匠効果を得ることができる。
【図面の簡単な説明】
【００２１】
【図１】本考案に係るキャンドルの一実施の形態を示す側面図である。
【図２】本考案に係るキャンドルの一実施の形態を示す要部拡大図であって、キャンドル本体１０の先端部１０ｂの拡大側面図である。
【図３】本考案に係るキャンドルの一実施の形態に関わる無線点火装置を示す概略図である。
【図４】本考案に係るキャンドルの他の一実施の形態を示す側面図である。
【考案を実施するための最良の形態】
【００２２】
以下、添付図面に示す実施の形態に基づき、本考案に係るキャンドル１を詳述する。
【００２３】
図１は、本考案に係るキャンドル１の一実施の形態を示す側面図である。
図１に示すように、本実施形態のキャンドル１は、棒状のキャンドル本体１０と、キャンドル本体１０の側面部１０ａに長さ方向に沿って巻装された巻装燃焼部材２０と、キャンドル本体１０の先端部１０ｂに設けられた先端燃焼部材３０とを備えている。
【００２４】
図１に示すように、キャンドル本体１０は、先端１１ａが基端１１ｂ側よりも細くなるように先細り状に形成された蝋材１１と、蝋材１１の中心部を貫通するように配置されていると共に一端部１２ａを蝋材１１の先端１１ａから突出して露出させる芯材１２とを有している。
【００２５】
図１に示すように、巻装燃焼部材２０は、ハート形の装飾的構成部材２１が複数連設することで形成されている。なお、図１においては、理解容易のため、巻装燃焼部材２０の基端２０ａ側をキャンドル本体１０の側面部１０ａから離間させた状態で図示している。
【００２６】
各装飾的構成部材２１は、ニトロセルロースを含むフラッシュペーパーで形成されている。本実施形態のフラッシュペーパーにあっては、比較的に厚さを薄くすると共に、ニトロセルロースの含有率と酸化剤とを比較的に少なくすることで、燃焼速度を弱めている。
【００２７】
各装飾的構成部材２１は、それぞれキャンドル本体１０の側面部１０ａ（蝋材１１の側面）に糊剤で貼り付けられており、それぞれの一部が隣接する他の装飾的構成部材２１の一部と接している。
【００２８】
これら装飾的構成部材２１からなる巻装燃焼部材２０は、基端２０ａから先端２０ｂまで、芯材１２を中心にして螺旋状に貼設されている。
【００２９】
図２は、キャンドル本体１０の先端部１０ｂの拡大側面図である。
図２に示すように、先端燃焼部材３０は、キャンドル本体１０の先端部１０ｂから芯材１２に沿って長さ方向に延びた棒状の着火燃焼部３１と、着火燃焼部３１の先端３１ａに設けられた装飾燃焼部３２とを有している。
【００３０】
図２に示すように、着火燃焼部３１は、ニトロセルロースを含有する棒状の部材であり、芯材１２の一端部１２ａよりも長さ寸法が大きくなっている。この着火燃焼部３１は、その基端３１ｂが蝋材１１の先端１１ａに埋没されることでキャンドル本体１０に対して固定されており、基端３１ｂ側の一部を芯材１２の一端部１２ａに隣接させている。
【００３１】
装飾燃焼部３２は、上述した装飾的構成部材２１と同様のフラッシュペーパーで形成されており、ハート形に形成された二枚のフラッシュペーパーが貼り合わされて構成されている。この装飾燃焼部３２の二枚のフラッシュペーパーの間には、着火燃焼部３１の先端３１ａが介挿された状態で接着されている。
【００３２】
このようなキャンドル１には、巻装燃焼部材２０と先端燃焼部材３０との間に設けられた導火部材４０を有している。
図２に示すように、導火部材４０は、紐状に形成されており、具体的には、上述した装飾的構成部材２１と同様のフラッシュペーパーが捩られて紐状に形成されている。導火部材４０の一端４０ａは、巻装燃焼部材２０の先端２０ｂと蝋材１１との間に介挿された状態で接着されており、導火部材４０の他端４０ｂは、装飾燃焼部３２を構成する二枚のフラッシュペーパーの間に介挿された状態で接着されている。
【００３３】
図３は、キャンドル１の無線点火装置５０を示す概略図である。
図３に示すように、無線点火装置５０は、キャンドル１を立てる燭台５１と、燭台５１の受け皿５１ａにおいてキャンドル１の巻装燃焼部材２０の基端２０ａに接触するように配置されたヒーター５２と、ヒーター５２に対してコード（不図示）で有線接続された無線受信器５３と、無線受信器５３に無線信号を送信する無線送信機５４とで構成されている。
【００３４】
この無線点火装置５０においては、無線送信機５４から送信された無線信号を無線受信器５３が受信すると、無線受信器５３がヒーター５２を発熱させる仕組みとなっている。なお、無線受信器５３及びコード（不図示）は、燭台５１の内部に配設されている。
【００３５】
続いて、本実施形態に係るキャンドル１の燃焼について説明する。
【００３６】
図３に示すように、演出を所望するタイミングで無線送信機５４から無線信号を送信する。この無線信号を無線受信器５３が受信すると、無線受信器５３がヒーター５２を発熱させる。そうすると、ヒーター５２が発生させた熱によって、ヒーター５２に接触する巻装燃焼部材２０の基端２０ａが着火される。
【００３７】
着火によって巻装燃焼部材２０の基端２０ａが燃焼し始めると、この燃焼による炎が基端２０ａから先端２０ｂに向けて螺旋状に伝播していく。この際、巻装燃焼部材２０の燃焼速度が弱められていることによって、炎がゆっくりと伝播していくと共に、連設された装飾的構成部材２１に炎が連続的に燃え移ることによって、炎が炎勢を強弱させながら伝播していく。
【００３８】
次に、巻装燃焼部材２０の炎が先端２０ｂに達すると、図２に示すように、炎が導火部材４０の一端４０ａに燃え移る。導火部材４０に燃え移った炎は、他端４０ｂに向けてゆっくりと確実に伝播していき、他端４０ｂが介層された装飾燃焼部３２に燃え移る。そして、装飾燃焼部３２が燃焼することによってハート形を模った炎が形成される。
【００３９】
図２に示すように、装飾燃焼部３２が燃焼すると、装飾燃焼部３２に先端３１ａが介装された着火燃焼部３１に炎が燃え移る。この着火燃焼部３１に燃え移った炎は、芯材１２に沿うようにして蝋材１１に向けて伝播していく過程で、着火燃焼部３１に隣接する芯材１２に燃え移る。
このようにして、芯材１２に炎が着火して点火される。
【００４０】
以上説明したように、本実施形態に係るキャンドル１にあっては、巻装燃焼部材２０の先端２０ｂと先端燃焼部材３０の装飾燃焼部３２との間に設けられた導火部材４０に巻装燃焼部材２０の炎が燃え移り、その後、導火部材４０を伝播した炎が先端燃焼部材３０に燃え移る。従って、巻装燃焼部材２０の炎が導火部材４０を介して先端燃焼部材３０に確実に燃え移るので、キャンドル本体１０を確実に点火することができる。
その結果、巻装燃焼部材２０が華やかに燃えた後、確実にキャンドル本体１０の芯材１２に点火することができるキャンドル１を提供することができる。
【００４１】
また、本実施形態に係るキャンドル１にあっては、導火部材４０が紐状であるので、燃焼し易くなると共に、導火部材４０が目立ち難い。
その結果、キャンドル１の外観意匠を損なわせずに、より確実に巻装燃焼部材２０の炎を先端燃焼部材３０に伝播させることができる。
【００４２】
また、本実施形態に係るキャンドル１にあっては、導火部材４０、巻装燃焼部材２０及び先端燃焼部材３０がニトロセルロースを含んでいるので、ニトロセルロースの自己反応性の燃焼が得られる。
その結果、導火部材４０、巻装燃焼部材２０及び先端燃焼部材３０をより確実に燃焼させることができ、意図する演出効果を確実に得ることができる。
【００４３】
また、本実施形態に係るキャンドル１にあっては、芯材１２に沿って長さ方向に着火燃焼部３１が延びているので、着火燃焼部３１が着火されると炎が芯材１２に沿って伝播する。これにより、着火燃焼部３１の炎が芯材１２に沿って伝播する間に芯材１２に燃え移る。
その結果、より確実にキャンドル本体１０の芯材１２に点火することができる。
さらに、本実施形態に係るキャンドル１にあっては、着火燃焼部３１の先端に装飾燃焼部３２が設けられているので、装飾燃焼部３２の燃焼によって生じるハートを模った炎で、優れた演出効果を得ることができる。
【００４４】
また、本実施形態に係るキャンドル１にあっては、装飾的構成部材２１を連設して巻装燃焼部材２０が形成されているので、炎の火勢の強弱をつけることが可能となる。その結果、極めて高い演出効果を得ることができる。
また、本実施形態に係るキャンドル１にあっては、ハート形のいずれかの装飾的構成部材２１が連設して巻装燃焼部材２０が構成されるので、優れた意匠効果を得ることができる。
【００４５】
以上、本考案の一実施形態を説明したが、本考案は上述した実施形態に限らず、種々の設計変更が可能である。例えば、上述した実施形態においては、巻装燃焼部材２０の装飾的構成部材２１をハート形に形成したが、他の形状（星形、多角形、花形）に形成してもよい。
【００４６】
また、図４に示すように、帯状に形成した巻装燃焼部材２０Ａを、キャンドル本体１０の側面部１０ａに巻装してもよい。この構成のキャンドル２によれば、巻装燃焼部材２０が帯状に形成されているので、巻装燃焼部材２０をキャンドル本体１０の側面部１０ａに巻装し易くなり、製造性を向上させることができる。
【００４７】
また、上述した実施形態においては、蝋材１１をテーパ状に形成したキャンドル本体１０を用いたが、蝋材１１を真直状に形成してもよく、蝋材１１の基端１１ｂ及び先端１１ａから中央部に向かうに従って断面積が漸次縮小するように形成してもよい。また、キャンドル本体１０の断面形状は、円形でも多角形でも構わない。
【００４８】
また、上述した実施形態においては、フラッシュペーパーを用いて巻装燃焼部材２０、先端燃焼部材３０の装飾燃焼部３２及び導火部材４０を形成したが、硝化綿を用いてそれぞれを形成してもよい。
【符号の説明】
【００４９】
１，２…キャンドル
１０…キャンドル本体
１０ａ…側面部
１０ｂ…先端部
１２…芯材
２０，２０Ａ…巻装燃焼部材
２１…装飾的構成部材
３０…先端燃焼部材
３１…着火燃焼部
３２…装飾燃焼部
４０…導火部材
【図１】
0003177070.tif 000003
【図２】
0003177070.tif 000004
【図３】
0003177070.tif 000005
【図４】
0003177070.tif 000006